(57)【要約】【課題】呼吸がしやすく、密閉性の高いマスクを提供する。【解決手段】外側不織布と中間不織布および口元側不織布の三層で構成され、超音波加工により熱溶着される略台形と長方形が組み合わされたような形状をした上側部１０と下側部１１とから構成される本体部２と、この本体部２の両側上下に固定された耳掛け紐３と、前記本体部２の上縁中央部に固定された鼻掛け部４とを備え、前記本体部２は、その台形の斜辺に該当する箇所１０ａ、１１ａが熱溶着により固定されている。なお、耳掛け紐３は、本体部２の両側上下に熱溶着又は縫製されたもので固定されている。【選択図】図１
0003125945.tif 000002
【実用新案登録請求の範囲】
【請求項１】
紙、布、不織布等の通気性を有する素材からなる本体部と、この本体部の両側上下に固定された耳掛け紐と、を備えたマスクにおいて、
前記本体部は、長方形の長辺と台形の底辺とを接合した外形形状を有する上側部と、前記長辺と前記底辺と略同一長の各辺を有する長方形と台形とを同様に接合した外形形状を有する下側部とが、その台形の上辺が下向きになるように重ね合わされるように構成され、前記上側部と前記下側部の各上辺及び各斜辺がそれぞれ結合され、前記結合された部分を維持したまま、前記下側部を前記上側部から引き離す様に展開することにより、前記上側部の長方形の短辺と前記下側部の長方形の短辺とがくの字型になることを特徴とするマスク。
【請求項２】
紙、布、不織布等の通気性を有する素材からなる本体部と、この本体部の両側上下に固定された耳掛け紐と、を備えたマスクにおいて、
前記本体部は、長方形の長辺とお椀形状をしたお椀形状部の上辺とを接合した外形形状を有する上側部と、前記長辺と前記上辺と略同一長の各辺を有する長方形とお椀形状部とを同様に接合した外形形状を有する下側部とが、そのお椀形状部の底辺が下向きになるように重ね合わされるように構成され、前記上側部と前記下側部の各底辺及びお椀形状部の略円弧状の各側辺部がそれぞれ結合され、前記結合された部分を維持したまま、前記下側部を前記上側部から引き離す様に展開することにより、前記上側部の長方形の短辺と前記下側部の長方形の短辺とがくの字型になることを特徴とするマスク。
【請求項３】
前記台形の斜辺に該当する部分、又は前記お椀形状部の略円弧状の側辺部が溶着によって結合されている請求項１又は２に記載のマスク。
【請求項４】
前記台形の斜辺に該当する部分、又は前記お椀形状部の略円弧状の側辺部が縫製によって結合されている請求項１又は２に記載のマスク。
【請求項５】
前記本体部の上縁中央部に固定された略扇形状をした鼻掛け部を備える請求項１乃至４いずれかに記載のマスク。
【請求項６】
前記本体部は、外側不織布と口元側不織布の二層で構成されている請求項１乃至５いずれかに記載のマスク。
【請求項７】
前記本体部は、外側不織布と、一枚又は複数枚の中間不織布、および口元側不織布の三層以上で構成されている請求項１乃至５いずれかに記載のマスク。
【請求項８】
前記本体部が、レーヨン、ポリエステルのスパンレース不織布からなる外側不織布と口元側不織布、およびポリプロピレンの防塵フィルター不織布からなる中間不織布の三層で構成されている請求項１乃至５いずれかに記載のマスク。
【請求項９】
前記本体部が、レーヨン、ポリエステルのスパンレース不織布からなる外側不織布と、ポリプロピレンのサーマルボンド不織布からなる口元側不織布の二層で構成されている請求項１乃至５いずれかに記載のマスク。
【請求項１０】
前記本体部が、レーヨン、ポリエステルのスパンレース不織布からなる外側不織布と、ポリプロピレンの防塵フィルター不織布からなる一枚又は複数枚の中間不織布と、ポリプロピレンのサーマルボンド不織布からなる口元側不織布の三層以上で構成されている請求項１乃至５いずれかに記載のマスク。
【請求項１１】
前記本体部は、晒し加工されていないガーゼからなる口元側生地と、防塵フィルターからなる中間生地とを包み縫製したものに、ガーゼやブロード生地からなり、レーヨンと綿と紡績糸を用いて織物生地で作成された外側生地が直接縫製されている請求項１乃至５いずれかに記載のマスク。
【請求項１２】
前記本体部は、不織布からなる口元側生地と、防塵フィルターからなる中間生地とを包み縫製したものに、ガーゼやブロード生地からなり、レーヨンと綿と紡績糸を用いて織物生地で作成された外側生地が直接縫製されている請求項１乃至５いずれかに記載のマスク。
【考案の詳細な説明】
【技術分野】
【０００１】
本考案は、口と鼻を覆う衛生用品等として顔面に使用するマスクに関するものである。
【背景技術】
【０００２】
風邪をひいた場合や花粉症にかかった場合には、冷たい外気や外部の細菌、あるいは大気に混じった花粉等が体内に侵入するのを防止するために通常マスクが使用されている。マスクは一般的に、四角い平面状のガーゼ等、柔軟性のある素材からなる本体部と、この本体部の両側に取り付けられた耳掛け紐とからなる。マスクの本体部の素材には、ガーゼの他に、手術用や半導体製造工場等のクリーンルームで用いられる使い捨てマスクにおいては、紙や樹脂不織布等が使用されることがある。
【０００３】
この種のマスクにおいて、マスク内外との遮断を効果的に行うためには、マスクを口や鼻の辺りの顔面形状とほぼ同じ形状にする必要があることから、例えばガーゼ、不織布、布地を部分的に折り重ねてプリーツ加工したものや、マスクの上縁に変形可能なワイヤー等が挿入されたもの、あるいは、予め立体形状になって変形しない立体成形タイプのもの等、種々のマスクがある。
【０００４】
特許文献１には、プリーツ加工したマスクが示されている。このマスクは、横方向に長く延びる襞ができるように布地が部分的に折り重ねられている。プリーツ加工されたマスクは、使用時には、この襞が広がるようにして口周辺に密着するため、花粉等の侵入を効果的に防ぐことができる。
【特許文献１】特表２００３−５３４８４２号公報
【考案の開示】
【考案が解決しようとする課題】
【０００５】
しかしながら、プリーツ加工されたマスクは、使用する際に重なり部を拡げるようにするだけで、暫定的に立体的形状にすることができるが、マスク本体部がその形状が固定されているわけではなく、マスク本体部は、マスクを固定するための結び紐によって両サイドに引っ張られるため、マスク本体部の裏面が直接口に当り、マスクと口との間に空間がなく、呼吸がし辛いという問題がある。また、プリーツ加工されたマスクは、マスクを装着したときに、マスクの側端部分と頬との間に隙間が生じ、花粉等が侵入してしまうことがある。
【０００６】
本考案は、このような事情に鑑みてなされたもので、呼吸がしやすく、密閉性の高いマスクを提供することを目的としている。
【課題を解決するための手段】
【０００７】
係る目的を達成すべく、本考案は、紙、布、不織布等の通気性を有する素材からなる本体部と、この本体部の両側上下に固定された耳掛け紐と、を備えたマスクにおいて、前記本体部は、長方形の長辺と台形の底辺とを接合した外形形状を有する上側部と、前記長辺と前記底辺と略同一長の各辺を有する長方形と台形とを同様に接合した外形形状を有する下側部とが、その台形の上辺が下向きになるように重ね合わされるように構成され、前記上側部と前記下側部の各上辺及び各斜辺がそれぞれ結合され、前記結合された部分を維持したまま、前記下側部を前記上側部から引き離す様に展開することにより、前記上側部の長方形の短辺と前記下側部の長方形の短辺とがくの字型になる構成を採用した。
【０００８】
このように、略台形と長方形が組み合わされたような形状をした上側部と下側部とから構成される本体部の台形の斜辺に該当する箇所を互いに固定したので、マスクを装着するために下側部を広げるように展開した際に、台形の上辺に該当する箇所がマスクの前方に膨らむような形状となるので、口元に当る部分に空間ができ、呼吸がしやすいという利点がある。また、長方形部分の短辺が結合されておらず、装着時には、上側部と下側部の短辺が、くの字型に展開されるので、短辺が頬に密着し、密閉性が高いマスクを提供することができる。さらに、上側部と下側部とを折り畳んで収納できるので、収納が楽になるという利点もある。
【０００９】
また、本考案は、紙、布、不織布等の通気性を有する素材からなる本体部と、この本体部の両側上下に固定された耳掛け紐と、を備えたマスクにおいて、前記本体部は、長方形の長辺とお椀形状をしたお椀形状部の上辺とを接合した外形形状を有する上側部と、前記長辺と前記上辺と略同一長の各辺を有する長方形とお椀形状部とを同様に接合した外形形状を有する下側部とが、そのお椀形状部の底辺が下向きになるように重ね合わされるように構成され、前記上側部と前記下側部の各底辺及びお椀形状部の略円弧状の各側辺部がそれぞれ結合され、前記結合された部分を維持したまま、前記下側部を前記上側部から引き離す様に展開することにより、前記上側部の長方形の短辺と前記下側部の長方形の短辺とがくの字型になる構成を採用することもできるので、より頬に密着し、密閉性が高いマスクを提供することができる。
【００１０】
また、本考案は、前記台形の斜辺に該当する部分、又は前記お椀形状部の略円弧状の側辺部が溶着によって結合されているので、斜辺に該当する部分、又は前記お椀形状部の略円弧状の側辺部の固定が比較的楽であり、量産に適している。
【００１１】
また、本考案は、前記台形の斜辺に該当する部分、又は前記お椀形状部の略円弧状の側辺部が縫製によって結合されている構成とすることもできるので、本体部が布等で構成されている場合に有効である。
【００１２】
また、本考案は、前記本体部の上縁中央部に固定された略扇形状をした鼻掛け部を備える構成とすることもできるので、鼻掛け部が、鼻背および鼻翼に隙間なく密着し、鼻と本体部との間からマスクを介さない空気の出入り量が可及的に減少する。したがって、本体部と鼻と頬との凹凸に対応して密着性を向上させたマスクを提供することができる。
【００１３】
また、本考案は、前記本体部が、外側不織布と口元側不織布の二層で構成され、又は、外側不織布と一枚または複数枚の中間不織布、および口元側不織布の三層以上で構成され、超音波加工により熱溶着されているので、各層別に所望の機能を有する不織布を適宜選択することができる。
【００１４】
また、本考案は、前記本体部が、レーヨン、ポリエステルのスパンレース不織布からなる外側不織布と口元側不織布、およびポリプロピレンの防塵フィルター不織布からなる中間不織布の三層、レーヨン、ポリエステルのスパンレース不織布からなる外側不織布と、ポリプロピレンのサーマルボンド不織布からなる口元側不織布の二層、あるいは、前記本体部が、レーヨン、ポリエステルのスパンレース不織布からなる外側不織布と、ポリプロピレンの防塵フィルター不織布からなる一枚または複数枚の中間不織布と、ポリプロピレンのサーマルボンド不織布からなる口元側不織布の三層以上で構成されていても良い。
【００１５】
また、本考案は、前記本体部が、晒し加工されていないガーゼ、又は、不織布からなる口元側生地と、防塵フィルターからなる中間生地とを包み縫製したものに、ガーゼやブロード生地からなり、レーヨンと綿と紡績糸を用いて織物生地で作成された外側生地が直接縫製されていれば、一層マスク本来の機能を向上できる。
【考案の効果】
【００１６】
以上詳述したように、本考案に係るマスクにあっては、紙、布、不織布等の通気性を有する素材からなる本体部と、この本体部の両側上下に固定された耳掛け紐と、を備えたマスクにおいて、前記本体部は、長方形の長辺と台形の底辺とを接合した外形形状を有する上側部と、前記長辺と前記底辺と略同一長の各辺を有する長方形と台形とを同様に接合した外形形状を有する下側部とが、その台形の上辺が下向きになるように重ね合わされるように構成され、前記上側部と前記下側部の各上辺及び各斜辺がそれぞれ結合され、前記結合された部分を維持したまま、前記下側部を前記上側部から引き離す様に展開することにより、前記上側部の長方形の短辺と前記下側部の長方形の短辺とがくの字型になるので、マスクを装着するために下側部を上側部から引き離す様に展開した際に、台形の上辺に該当する箇所がマスクの前方に膨らむような形状となるので、口元に当る部分に空間ができ、呼吸がしやすいという利点がある。また、長方形部分の短辺が結合されておらず、装着時には、上側部と下側部の短辺が、くの字型に展開されるので、短辺が頬に密着し、密閉性が高いマスクを提供することができる。
【考案を実施するための最良の形態】
【００１７】
外側不織布と中間不織布および口元側不織布の三層で構成され、超音波加工により熱溶着される本体部と、この本体部の両側上下に固定された耳掛け紐と、前記本体部の上縁中央部に固定された鼻掛け部とを備え、前記本体部は、長方形の長辺と台形の底辺とを接合した外形形状を有する上側部と、前記長辺と前記底辺と略同一長の各辺を有する長方形と台形とを同様に接合した外形形状を有する下側部とが、その台形の上辺が下向きになるように重ね合わされるように構成され、前記上側部と前記下側部の各上辺及び各斜辺がそれぞれ結合され、前記結合された部分を維持したまま、前記下側部を前記上側部から引き離す様に展開することにより、前記上側部の長方形の短辺と前記下側部の長方形の短辺とがくの字型になる。
【実施例１】
【００１８】
以下、本考案の実施の形態を図面に基づいて詳細に説明する。図１は、本考案に係るマスクの第１の実施形態を示す背面図、図２は、ＩＩ−ＩＩ線に沿った断面図、図３は、図２の要部拡大図、図４は、マスクを開いた状態を示す背面図、図５は、鼻掛け部の形状を示す背面図、図６は、マスクの本体部の展開図、図７は、マスクを装着した状態での耳掛け紐の固定部の形状を示す側面図、図８は、マスクを開いた状態での耳掛け紐の固定部の形状を示す背面図である。
【００１９】
図１に示すマスク１は使い捨て用の不織布マスクで、マスクの本体部２と、この本体部２の両側上下に固定された耳掛け紐３と、本体部２の上縁中央部に固定された鼻掛け部４とを備えている。ここで、耳掛け紐３は、ウーリーナイロンゴム糸、不織布製の紐、又は平ゴム等で構成され、用途によって使い分けられる。また、耳掛け紐３は、その端部が本体部２に熱溶着される場合に限られず、例えば、本体部２に縫製される場合も含む。さらに、より密着性を高めるためには、図７、図８に示すように、耳掛け紐３を本体部２の装着時に外側となる側に固定されるのが望ましい。特に、本体部２の厚さが薄い場合には、耳掛け紐３を本体部２の装着時に外側となる側に固定されるのが好ましい。
【００２０】
本体部２は、図３に示すように、レーヨン８０ｗｔ％、ポリエステル２０ｗｔ％のスパンレース不織布等からなる外側不織布５と、ポリプロピレン１００ｗｔ％の防塵フィルター不織布等からなる中間不織布６と、ポリプロピレン１００ｗｔ％のサーマルボンド不織布等からなる口元側不織布７又はコットン１００ｗｔ％の口元側不織布７の三層で構成されている。これら三層の不織布５、６、７は、超音波加工により熱溶着されている（図中破線にて示す）。これにより、各層別に所望の機能を有する不織布を適宜選択することができる。ここで、ｗｔ％は、単位容積当りの重量、所謂めつけ（秤量）をいう。
【００２１】
本考案の実施例においては、本体部２は、長方形の長辺と台形の底辺とを接合した外形形状を有する上側部１０と長方形の長辺と台形の底辺と略同一長の各辺を有する長方形と台形とを同様に接合した外形形状を有する下側部１１から構成されている。上側部１０と下側部１１の図の下側に位置する台形部は、両者略同等の形状をしているが、その上側に位置する長方形部の短辺は、上側部１０の方が下側部１１よりも長くなっている。
【００２２】
上側部１０と下側部１１とは、その台形の上辺部が結合されている。ここで、結合とは、図６に示すように、その台形の上辺に該当する位置の素材がつながっており、その上辺の位置で折り返されて重ねられている場合も含むし、上側部１０の台形の上辺に該当する位置と下側部１１の台形の上辺に該当する位置が熱溶着されているような場合も含む。
【００２３】
台形部分の斜辺にあたる部分１０ａ、１１ａは、図１に示すように、熱溶着によって固定された後、角が切り落とされている。また、長方形の短辺に当る部分１０ｂ、１１ｃは互いに結合されておらず、マスク装着時には、この短辺１０ｂ、１１ｃを引き離す様に展開して頬に当てることになる。
【００２４】
鼻掛け部４は、前記した不織布５、６、７よりも僅かに剛性が高く、腰が強いポリエステル１００ｗｔ％のスパンボンド不織布等からなり、楕円状の扇形状に形成されている。この鼻掛け部４の両側が、本体部２の上縁中央部に熱溶着によって固定されているが、その固定部４ａは、上縁に対して３０〜６０°、好ましくは４０〜５０°の傾斜角αを有している。この傾斜角αによって、鼻掛け部４は、従来のように、平面状の本体部２全体が引張られ、円弧状に湾曲して鼻掛け部４の下縁が直線状となって鼻と頬との間に隙間が生じてしまうようなことはなく、鼻背および鼻翼に隙間なく密着する。したがって、鼻と本体部２との間からマスク１を介さない空気の出入り量が可及的に減少する。
【００２５】
次に、本考案のマスク１を使用する場合は、図４に示すように、鼻掛け部４の下縁である自由端４ｂをめくり、めくった鼻掛け部４の内側を鼻背と鼻翼に掛ける。鼻掛け部４は、本体部２の上縁中央部に、所定の傾斜角αをもって固定されているため、本体部２の両側が極端に引張られることがなく、本体部２は自然に顔面の形状に沿って密着すると共に、鼻掛け部４も鼻背と鼻翼を隙間なく覆うことができる。さらに、鼻掛け部４が口元側不織布７側の上縁中央部に部分的に固定されているため、マスク１の表裏を識別することが容易となり、誤って花粉や塵埃等が付着した外側不織布５を口にあてる恐れはない。
【００２６】
また、本考案のマスクは、本体部２を口に装着する際に、下側部１１の上端中央部１１ｂをめくって、下側部１１を上側部１０から引き離す様に展開して、口を覆うように装着する。この時、上側部１０と下側部１１の台形の上辺に該当する箇所は、口に接することなく、やや前方に突き出るような形状となる。そうした空間が口の前にできることにより、空間に空気が溜まり、呼吸がしやすくなるという利点がある。なお、本実施形態においては、図１に示すような形状をした本体部を例示したが、本考案はこれに限定されるものではなく、台形の斜辺に該当する部分の角度や、台形の上辺に該当する箇所の長さ等は様々な形状に設定できる。
【００２７】
また、下側部１１を上側部１０から引き離す様に展開した際には、上側部１０の短辺１０ｂと下側部１１の短辺１１ｃが、くの字型に展開される。短辺１０ｂ、１１ｃがこのような形状に展開されて、頬にあたることになるので、短辺１０ｂ、１１ｃが頬に密着し、花粉等の侵入を好適に防ぐことができる。
【００２８】
本実施形態では、外側不織布５、中間不織布６、および口元側不織布７がそれぞれ異なった不織布で構成されたものを例示したが、これに限定されず、例えば、外側不織布５と口元側不織布７とを同一のレーヨン８０ｗｔ％、ポリエステル２０ｗｔ％のスパンレース不織布等で構成しても良いし、口元側不織布７をコットン１００ｗｔ％の不織布で構成しても良い。
【実施例２】
【００２９】
次に、本考案の第２の実施形態について説明する。図９は、本考案に係るマスクの第２の実施形態を示す、一部を断面した斜視図である。なお、前述した実施形態と同一の部位には同じ符号を付してその詳細な説明を省略する。
【００３０】
このマスク１２は、織物生地からなるガーゼマスクで、本体部１３と、この本体部１３の両側上下に固定された耳掛け紐３と、本体部１３の上縁中央部に固定された鼻掛け部１４とを備えている。本体部１３は、晒し加工されていない白ガーゼ、またはカラーガーゼからなる口元側生地１５と、防塵フィルターからなる中間生地１６とを包み縫製したものに外側生地１７を直接縫製している（図中破線にて示す）。この外側生地１７は、ガーゼやブロード生地からなり、レーヨン３０ｗｔ％と綿７０ｗｔ％、綿１００ｗｔ％、又は綿６５ｗｔ％とポリエステル３５ｗｔ％と、４０番手の紡績糸を用いて織物生地で作成されている。
【００３１】
本体部１３は、長方形の長辺と台形の底辺とを接合した外形形状を有する上側部２０と、前記長辺と前記底辺と略同一長の各辺を有する長方形と台形とを同様に接合した外形形状を有する下側部２１から構成されている。台形部分の斜辺にあたる部分２２は、縫製により固定されている。このように、縫製により台形部分の斜辺に当る部分２２を固定することにより、本体部２を口に装着する際に、下側部２１を上側部２０から引き離す様に展開することにより、口を覆うように装着する。この時、上側部２０と下側部２１の台形の上辺に該当する箇所は、口に接することなく、やや前方に突き出るような形状となる。そうした空間が口の前にできることにより、空間に空気が溜まり、呼吸がしやすくなるという利点がある。
【００３２】
鼻掛け部１４は、外側生地１７と同一のガーゼやブロード生地や特殊不織布からなり、芯に不織布を用いて、綿１００ｗｔ％、又は綿６５ｗｔ％とポリエステル３５ｗｔ％と、４０番手以上の紡績糸を用いて僅かに腰が強い織物生地で作成されている場合や、ポリエステル素材を含む厚めの特殊不織布で作成されても良い。扇形状に形成された鼻掛け部１４の両側は、本体部１３の上縁中央部に縫製によって固定されているが、その固定部１４ａは、上縁に対して３０〜６０°、好ましくは４０〜５０°の傾斜角αを有している。この傾斜角αによって、鼻掛け部１４は、前述した実施形態と同様、その下縁となる自由端１４ｂをまくり上げ、鼻に覆うことにより、鼻背および鼻翼に隙間なく密着する。したがって、鼻と本体部１３との間からマスク１２を介さない空気の出入り量が可及的に減少する。
【実施例３】
【００３３】
次に、本考案の第３の実施形態について説明する。図１０は、本考案に係るマスクの第３の実施形態を示す背面図である。なお、前述した実施形態と同一の部位には同じ符号を付してその詳細な説明を省略する。
【００３４】
図１０に示すマスク３１は使い捨て用の不織布マスクで、マスクの本体部３２と、この本体部３２の両側上下に固定された耳掛け紐３と、本体部３２の上縁中央部に固定された鼻掛け部４とを備えている。
【００３５】
本考案の実施例においては、本体部３２は、長方形の長辺とお椀形状をしたお椀形状部の上辺とを接合した外形形状を有する上側部３３と、前記長辺と前記上辺と略同一長の各辺を有する長方形とお椀形状部とを同様に接合した外形形状を有する下側部３４から構成されている。
【００３６】
上側部３３と下側部３４の図の下側に位置するお椀形状部は、両者略同等の形状をしているが、その上側に位置する長方形部の短辺は、上側部３３の方が下側部３４よりも長くなっている。上側部３３と下側部３４とは、そのお椀形状部の底辺部が結合されている。
【００３７】
お椀形状部の略円弧状の側辺部３３ａ、３４ａは、図１０に示すように、熱溶着によって固定されている。また、長方形の短辺に当る部分３３ｂ、３４ｃは互いに結合されておらず、マスク装着時には、この短辺３３ｂ、３４ｃを引き離す様に展開して頬に当てることになる。
【００３８】
以上、本考案の実施の形態について説明を行ったが、本考案はこうした実施の形態に何等限定されるものではなく、あくまで例示であって、本考案の要旨を逸脱しない範囲内において、さらに種々なる形態で実施し得ることは勿論のことであり、本考案の範囲は、実用新案登録請求の範囲の記載によって示され、さらに実用新案登録請求の範囲に記載の均等の意味、および範囲内のすべての変更を含む。
【産業上の利用可能性】
【００３９】
本考案に係るマスクの本体部および鼻掛け部は、繊維の生地あるいは不織布で生成する以外に、通気性を有する紙等を接着剤で接合して生成しても良い。また、本考案に係るマスクの耳掛け紐は、耳に掛けるタイプのものに限定されず、本体部から延びる装着用の紐を後頭部や首部等に掛けたり、結んだりすることによりマスクを固定するタイプのもの等も含まれる。
【図面の簡単な説明】
【００４０】
【図１】本考案に係るマスクの第１の実施形態を示す背面図である。
【図２】ＩＩ−ＩＩ線に沿った断面図である。
【図３】図２の要部拡大図である。
【図４】マスクを開いた状態を示す背面図である。
【図５】鼻掛け部の形状を示す背面図である。
【図６】マスクの本体部の展開図である。
【図７】マスクを装着した状態での耳掛け紐の固定部の形状を示す側面図である。
【図８】マスクを開いた状態での耳掛け紐の固定部の形状を示す背面図である。
【図９】本考案に係るマスクの第２の実施形態を示す、一部を断面した斜視図である。
【図１０】本考案に係るマスクの第３の実施形態を示す背面図である。
【符号の説明】
【００４１】
１・・・・・・・・・・・・マスク
２・・・・・・・・・・・・本体部
３・・・・・・・・・・・・耳掛け紐
４・・・・・・・・・・・・鼻掛け部
４ａ・・・・・・・・・・・固定部
４ｂ・・・・・・・・・・・自由端
５・・・・・・・・・・・・外側不織布
６・・・・・・・・・・・・中間不織布
７・・・・・・・・・・・・口元側不織布
１０・・・・・・・・・・・上側部
１１・・・・・・・・・・・下側部
１０ａ，１１ａ・・・・・・斜辺にあたる部分
１１ｂ・・・・・・・・・・上端中央部
１０ｂ、１１ｃ・・・・・・短辺
１２・・・・・・・・・・・マスク
１３・・・・・・・・・・・本体部
１４・・・・・・・・・・・鼻掛け部
１４ａ・・・・・・・・・・固定部
１４ｂ・・・・・・・・・・自由端
１５・・・・・・・・・・・口元側生地
１６・・・・・・・・・・・中間生地
１７・・・・・・・・・・・外側生地
２０・・・・・・・・・・・上側部
２１・・・・・・・・・・・下側部
２２・・・・・・・・・・・斜辺にあたる部分
３１・・・・・・・・・・・マスク
３２・・・・・・・・・・・本体部
３３・・・・・・・・・・・上側部
３３ａ、３４ａ・・・・・・お椀形状部の略円弧状の側辺部
３３ｂ、３４ｃ・・・・・・短辺
３４・・・・・・・・・・・下側部
【図１】
0003125945.tif 000003
【図２】
0003125945.tif 000004
【図３】
0003125945.tif 000005
【図４】
0003125945.tif 000006
【図５】
0003125945.tif 000007
【図６】
0003125945.tif 000008
【図７】
0003125945.tif 000009
【図８】
0003125945.tif 000010
【図９】
0003125945.tif 000011
【図１０】
0003125945.tif 000012